(57)【要約】【課題】  ストロボ発光部とストロボ操作基板を一体のストロボユニットとして構成することでカメラ本体を小型化でき、それぞれ異なる部材に対するストロボ発光部及びストロボ操作基板の位置決めを容易にできるようにする【解決手段】  撮像装置の異なる部材にそれぞれ位置決めされる、ストロボ発光部と撮像装置の操作部材への操作を検出する検出手段及びストロボ発光部の発光回路が設けられた基板とを弾性部材を介して連結させる。【選択図】  図４
2012098536.tif 000002
【特許請求の範囲】
【請求項１】
撮像装置に用いられるストロボユニットであって、
ストロボ発光部と、
前記撮像装置の操作部材への操作を検出する検出手段及び前記ストロボ発光部の発光回路が設けられた基板と、を有し、
前記基板は、前記撮像装置の部材のうち、前記ストロボ発光部が位置決めされる部材とは異なる部材に位置決めされ、前記ストロボ発光部と前記基板とが弾性部材を介して連結されることを特徴とするストロボユニット。
【請求項２】
前記弾性部材は、前記撮像装置のスピーカーを収納するスピーカー収納部及び前記撮像装置のマイクを収納するマイク収納部を有することを特徴とする請求項１に記載のストロボユニット。
【請求項３】
前記弾性部材は、前記ストロボ発光部と前記基板とを連結させた状態における、前記ストロボ発光部側に前記マイク収納部を配置し、前記基板側に前記スピーカー収納部を配置したことを特徴とする請求項２に記載のストロボユニット。
【請求項４】
前記弾性部材は、前記スピーカー収納部と前記マイク収納部との間に穴部を有することを特徴とする請求項２または３に記載のストロボユニット。
【請求項５】
前記弾性部材は、前記スピーカー収納部と前記マイク収納部との間の高さ方向の長さが、
前記スピーカー収納部の側面の高さ方向の長さあるいは前記マイク収納部の側面の高さ方向の長さよりも短いことを特徴とする請求項２ないし４のいずれか１項に記載のストロボユニット。
【請求項６】
前記弾性部材は、前記スピーカー収納部の底面に設けられた突起部を前記基板に設けられた位置決め孔に挿入し、前記マイク収納部を前記ストロボ発光部に設けられた保持部に圧入して、前記ストロボ発光部と前記基板とを連結させることを特徴とする２ないし５のいずれか１項に記載のストロボユニット。
【請求項７】
前記弾性部材は、前記基板に設けられた位置決め孔及び前記ストロボ発光部に設けられた位置決め孔に突起部を挿入して前記ストロボ発光部と前記基板とを連結させ、
前記基板に設けられた位置決め孔及び前記ストロボ発光部に設けられた位置決め孔のうち前記弾性部材に近いほうの位置決め孔の大きさが他方の位置決め孔の大きさよりも大きいことを特徴とする請求項２ないし６のいずれか１項に記載のストロボユニット。
【請求項８】
前記ストロボ発光部は、前記ストロボユニットと前記撮像装置の厚さ方向に隣接する部材に位置決めされ、前記基板は、前記ストロボユニットと前記撮像装置の高さ方向に隣接する部材に位置決めされることを特徴とする請求項１ないし７のいずれか１項に記載のストロボユニット。
【請求項９】
請求項１ないし８のいずれか１項に記載されたストロボユニットを備えたことを特徴とする撮像装置。
【発明の詳細な説明】
【技術分野】
【０００１】
本発明は、ストロボ光を発光するストロボユニット及び該ストロボユニットを備えた撮像装置に関し、特にストロボユニットの構成に関するものである。
【背景技術】
【０００２】
現在のデジタルカメラには、例えば、特許文献１のように、ストロボの発光回路を実装したストロボ基板や、シャッターボタンやズームレバー等の操作部材のスイッチ類や付随する電気回路を実装した操作基板を有しているものがある。
【先行技術文献】
【特許文献】
【０００３】
【特許文献１】特開２０１０−４９１７７号公報
【発明の概要】
【発明が解決しようとする課題】
【０００４】
現在のデジタルカメラは小型化が求められており、小型化のために特許文献１のような構成において、ストロボ基板や操作基板などのカメラ内における回路基板構成を集約させてカメラ本体を小型化させることが考えられる。例えば、ストロボ発光部と、ストロボ基板と操作基板とを同一基板に集約したストロボ操作基板を、新たなストロボユニットとして構成することが考えられる。このように、ストロボユニットとして構成することで、ストロボの発光に寄与する部品が集約されるため、ユニット状態でストロボ発光部の発光確認ができ、ストロボ諸特性（配光特性、ガイドナンバー等）を測定することも可能となる。
【０００５】
しかしながら、ストロボ発光部は、鏡筒のレンズの撮影範囲を照射するため、鏡筒を取り付ける部品に正確に位置決めして取り付ける必要がある。一方、ストロボ操作基板は、基板上面に操作部材に対応するスイッチが実装されているので、レリーズボタンとレリーズスイッチ、ズームレバーとズームスイッチといった対応する操作部材に対して正確な位置に固定される必要がある。そのため、ストロボユニットとしてストロボ発光部とストロボ操作基板とを固定してしまうと、それぞれの位置決めを正確に行うことが困難となる。
【０００６】
そこで、本発明は、ストロボ発光部とストロボ操作基板を一体のストロボユニットとして構成することでカメラ本体を小型化でき、異なる部材に対するストロボ発光部及びストロボ操作基板の位置決めを容易にできるようにすることを目的とする。
【課題を解決するための手段】
【０００７】
上記目的を達成するために、本発明にかかるストロボユニットは、撮像装置に用いられるストロボユニットであって、ストロボ発光部と、前記撮像装置の操作部材への操作を検出する検出手段及び前記ストロボ発光部の発光回路が設けられた基板と、を有し、前記ストロボ発光部及び前記基板は、前記撮像装置の異なる部材にそれぞれ位置決めされ、前記ストロボ発光部と前記基板とが弾性部材を介して連結されることを特徴とする。
【発明の効果】
【０００８】
本発明によれば、ストロボ発光部とストロボ操作基板を一体のストロボユニットとして構成することでカメラ本体を小型化でき、異なる部材に対するストロボ発光部及びストロボ操作基板の位置決めを容易にできる。
【図面の簡単な説明】
【０００９】
【図１】本発明の実施形態にかかるデジタルカメラの外観図である。
【図２】本発明の実施形態にかかるデジタルカメラの分解斜視図である。
【図３】本発明にかかるデジタルカメラのストロボユニットの詳細図である。
【図４】本発明の第１の実施形態にかかるストロボユニットを示す図である。
【図５】本発明の第２の実施形態にかかるストロボユニットを示す図である。
【図６】本発明の第３の実施形態にかかるストロボユニットを示す図である。
【発明を実施するための形態】
【００１０】
（第１の実施形態）
図１は、本発明の実施形態にかかる撮像装置としてのデジタルカメラの外観図で、図１（ａ）は正面から見た斜視図、図１（ｂ）は背面から見た斜視図である。
【００１１】
図１（ａ）及び図１（ｂ）において、カメラ本体１は前面を前カバー２に覆われている。カメラ本体１の前面中央には撮影レンズを保持する鏡筒３がある。鏡筒３は複数のレンズによって構成される撮影レンズを光軸方向に移動させることにより、撮影レンズの焦点距離を変更する。鏡筒３の右上にはストロボ発光窓４があり、ストロボは被写体が暗い時など必要に応じて発光する。
【００１２】
カメラ本体１の左上は上面カバー５に覆われている。上面カバー５には、電源ボタン６、レリーズボタン７、ズームレバー８とモードダイアル９が設けられている。
【００１３】
電源ボタン６を押して電源をオンすることでデジタルカメラは休止状態から抜け出し、鏡筒２は図１（ａ）に示した沈胴状態から鏡筒３が繰り出し撮影可能な状態となる。
【００１４】
電源がオンであり撮影可能な状態にあるとき、レリーズボタン７を押すと撮影が行われる。ズームレバー８は、初期位置を中心にして所定の角度範囲で回転可能であり、ズーム倍率を変更する際に用いる。
【００１５】
モードダイアル９は、撮影モードや再生モードといった動作モードの切り替えに用いる。モードダイアル９は回転操作が可能であり、それぞれの回転位置で固有の電気接点が入るように構成しているので、撮影可能な状態で動かしても、休止状態で動かしても、そのモードダイアル９の位置変化を受付ける。そのため、休止状態においてモードダイアル９を回転操作した場合、次に電源をオンしたときは回転操作後の動作モードとなる。
【００１６】
なお、電源ボタン６、レリーズボタン７を押す方向は、カメラ本体１の高さ方向、すなわち、カメラ本体１の上面に略垂直な方向である。カメラの上面は光軸に略平行な面なので電源ボタン６、レリーズボタン７を押す方向は、光軸に対して略垂直な方向である。
【００１７】
また、ズームレバー８とモードダイアル９の回転軸はデジタルカメラの上面に略垂直な方向である。したがってズームレバー８とモードダイアル９の回転軸も光軸に対して略垂直な方向である。
【００１８】
図１（ｂ）に示すように、デジタルカメラの背面には液晶表示窓１０がある。液晶表示窓１０の内側に液晶表示器１１が設けてある。液晶表示器１１は撮像する被写体像の確認や、撮像された画像の再生表示に用いられる。液晶表示窓１０の横には、複数の操作ボタン群１２が設けられている。複数の操作ボタン群１２には、中央の十字キーも含まれている。複数の操作ボタン群１２は、撮像装置に、例えば、撮影条件の変更、液晶表示装置の表示形態の変更、再生画面への切り替えなどを行う際に用いる。
【００１９】
次に、図２（ａ）、図２（ｂ）及び図２（ｃ）を参照して、本発明の実施形態にかかるデジタルカメラの構成について説明する。
【００２０】
図２（ａ）はカメラ本体１を正面側から見た分解斜視図である。そして、図２（ｂ）はストロボ発光部４１０とメインシャーシ１３の位置決めを示す背面側から見た分解斜視図であり、図２（ｃ）は上面操作ユニット５００とストロボ操作基板４２の位置決めを示す分解斜視図である。
【００２１】
図２（ａ）において、カメラ本体１は、前カバーユニット１００、鏡筒ユニット２００、電池ケースユニット３００、ストロボユニット４００、上面操作ユニット５００、メインシャーシ１３、ＬＣＤユニット６００、後ろカバーユニット７００から構成されている。
【００２２】
前カバーユニット１００は、前カバー２に外観意匠性を高めるための化粧リング１０１が貼り合わされている。また、前カバー２には、カメラ上面から右側面、下面を覆うサイドカバー１０２も取り付けられている。
【００２３】
鏡筒ユニット２００は、撮影レンズ等を保持する鏡筒を備えるユニットである。鏡筒ユニット２００には、鏡筒を駆動するためのズームモータを装備したギアユニット（不図示）が一体となるよう組付けられている。
【００２４】
鏡筒ユニット２００は、鏡筒ユニット２００の背面に設けられた位置決めピン２０１ａ及び２０１ｂとメインシャーシ１３の垂直面１３ｃに設けられた位置決め孔１３ｅ及び１３ｆで位置決めされ、メインシャーシ１３にビス止め固定される。
【００２５】
電池ケースユニット３００は、電池ケース３０１、メイン配線基板３０２、電池蓋３０３などから構成され、電池ケースユニット３００はメインシャーシ１３にビス止め固定される。
【００２６】
ストロボユニット４００は、ストロボユニット４００を構成するストロボ発光部４１０とストロボ操作基板４２の二つの部分が弾性部材５１で連結されている。ストロボユニット４００の詳細は後述する。
【００２７】
ストロボ発光部４１０はストロボケース４１に設けられた２本の位置決めピン４１０ａ及び４１０ｂとメインシャーシ１３の垂直面１３ｃに設けられた位置決め孔１３ｇ及び１３ｈで位置決めされ、メインシャーシ１３にビス止め固定される。すなわち、ストロボ発光部４１０は、ストロボユニット４００とカメラ本体１の厚さ方向に隣接する部材に位置決めされる。
【００２８】
鏡筒ユニット２００とストロボ発光部４１０を同一面であるメインシャーシ１３の垂直面１３ｃに取り付けることで、鏡筒ユニット２００に対するストロボ発光部４１０の光学性能が保障される。
【００２９】
位置決め部材１４は一ヶ所で上下にそれぞれ別部品を位置決めできるように位置決めボス１４ａ及び１４ｂを設けている。
【００３０】
ストロボ操作基板４２は、基板上に設けられた孔４１０ｃ及び４１０ｄに位置決め部材１４の位置決めボス１４ａ及び１４ｂを嵌合させて、位置決め部材１４とともにメインシャーシ１３の上面に設けられた光軸と略平行な平行面１３ｄにビス止め固定される。メインシャーシ１３にビス止めされる時、ストロボ操作基板４２に設けられたビスを貫通される孔４１０ｅは位置決め部材１４に設けられたビス穴１４ｃの穴径より大きい。
【００３１】
また、位置決め部材１４はストロボ操作基板４２に位置決めされるとともに、上面操作ユニット５００の位置決めを行う。
【００３２】
上面操作ユニット５００（操作部材）は上面カバー５や電源ボタン６などを含む操作ボタンから構成されている。上面操作ユニット５００は上面カバー５に位置決めボス１４ａ及び１４ｂと嵌合する位置決め孔（不図示）が設けられている。上面操作ユニット５００は位置決め部材１４を介して、ストロボ操作基板４２と位置決めされる。
【００３３】
位置決め部材１４は、メインシャーシ１３、電池ケースユニット３００にビス止め固定されている。さらに、上面カバー５に備えられた穴５ａにメインシャーシ１３の爪部１３ａを嵌合させることにより上面操作ユニット５００はメインシャーシ１３に固定される。
【００３４】
ストロボ操作基板４２は、上面操作ユニット５００への操作を検出するレリーズスイッチをはじめとする操作スイッチやストロボ発光部４１０の発光回路を実装している。上面操作ユニット５００の操作ボタンを押すとレリーズスイッチをはじめとする操作スイッチが入るように、ストロボ操作基板４２は操作ボタンの押圧方向に略垂直な面に配置されている。すなわち、ストロボ操作基板４２は、ストロボユニット４００とカメラ本体１の高さ方向に隣接する部材に位置決めされる。
【００３５】
上面操作ユニット５００を位置決め部材１４で位置決めすることで、操作ボタンと操作スイッチの位置関係が保障される。
【００３６】
ＬＣＤユニット６００は液晶表示器１１とそれを保持するＬＣＤホルダ６１からなる。ＬＣＤユニット６００はＬＣＤホルダ６１の引っかけ穴６１ａをメインシャーシ１３の上部にある爪部１３ｉに引っかけ、メインシャーシ１３の下面に設けられた孔１３ｂにビス固定される。後ろカバーユニット７００には液晶表示窓１０と複数の操作ボタン群１２が取り付けられている。
【００３７】
前カバーユニット１００及び後ろカバーユニット７００は、ストロボユニット４００などのユニットを組付けられたメインシャーシ１３を前後で覆い、上面操作ユニット５００を挟む形状をとっている。
【００３８】
次に、図３及び図４を参照して、本発明のストロボユニット４００の構成について説明する。図３（ａ）及び図３（ｂ）は本発明の実施形態にかかるストロボユニットの構成を示す斜視図である。図４（ａ）、図４（ｂ）及び図４（ｃ）は、ストロボケース４１、ストロボ操作基板４２及びスピーカー４９とマイク５０を収納する弾性部材５１の詳細を示す図である。
【００３９】
図３及び図４において、ストロボユニット４００は、ストロボ発光部４１０とストロボ操作基板４２から構成されている。さらにストロボ発光部４１０は、反射笠４３と発光管４４と放電防止用ゴム部材４５とストロボ発光窓４とメインコンデンサ４６とトリガコイル４７とそれらを収納するストロボケース４１、上面からストロボ発光部４１０を覆う発光部カバー４８で構成されている。また、ストロボ発光部４１０とストロボ操作基板４２とは、スピーカー４９とマイク５０を収納する弾性部材５１で連結されている。
【００４０】
弾性部材５１はスピーカー収納部５１ａとマイク収納部５１ｂを備えている。スピーカー４９は大きいほうが音質を確保しやすいため、一般的にデジタルカメラではマイク５０より大きいものが用いられる。このため、スピーカー収納部５１ａの方がマイク収納部５１ｂより大きくなる。なお、スピーカー４９の音質を確保するため、ストロボユニット４００において広く場所を確保できる位置に配置されることが望ましい。すなわち、前記ストロボ発光部側にマイク収納部５１ｂを配置し、前記ストロボ操作基板側にスピーカー収納部５１ａを配置することが望ましい。
【００４１】
弾性部材５１のスピーカー収納部５１ａは底面にボス５１ｃ（突起部）が２つ設けられている。このボス５１ｃは先端が矢じり形状をしており、矢じり部までの首の長さはストロボ操作基板４２の厚さより短くなっており、取り付け時に厚さ方向でチャージすることにより、弾性部材５１のグラつきを防止している。また、ボス５１ｃの先端は矢じり形状であるため、ストロボ操作基板４２に設けられた位置決め孔４２ａに軽圧入により挿入されると安易に抜けないようになっている。さらに、スピーカー収納部５１ａのボス５１ｃやストロボ操作基板４２に設けられた位置決め孔４２ａは、弾性部材５１とストロボ操作基板４２と相対的に回転しないよう複数であることが望ましい。
【００４２】
一方、弾性部材５１のマイク収納部５１ｂはストロボケース４１に備えられている半筒形状の保持部４１ａに軽圧入されることでストロボケース４１に保持される。マイク収納部５１ｂを軽圧入するのは、マイク５０が音を漏らさないよう隙間を減らすためである。またマイク収納部５１ｂの上面も音が漏れないよう、サイドカバー１０２に押されて圧縮される構成になっている。このため、マイク収納部５１ｂを圧縮しやすいようにマイク収納部５１ｂの周りはストロボケース４１による壁で覆われている事が望ましい。ストロボケース４１の半筒形状の保持部４１ａは、スピーカー収納部５１ａとマイク収納部５１ｂとをつなぐ連結部５１ｄ以外を囲う形状となっており、弾性部材５１とストロボ操作基板４２の回転止めの役割を果たしている。
【００４３】
また、弾性部材５１は、スピーカー収納部５１ａとマイク収納部５１ｂがそれぞれストロボ操作基板４２とストロボケース４１に位置決めされるため、スピーカー収納部５１ａとマイク収納部５１ｂの連結部５１ｄは弾性変形しやすい構成となっている。具体的には、連結部５１ｄの中央に穴部５１ｅを設けている。また、連結部５１ｄの高さ方向の長さをスピーカー収納部５１ａあるいはマイク収納部５１ｂの側面の高さ方向の長さよりも短くしている。
【００４４】
このように弾性部材５１によってストロボ発光部４１０とストロボ操作基板４２を一体にすることで、ストロボ発光部４１０とストロボ操作基板４２とが柔軟に連結された、ストロボユニット４００とすることができる。
【００４５】
そのため、異なる部材に位置決めされるストロボ発光部及びストロボ操作基板をユニット化しても、ストロボ発光部及びストロボ操作基板の位置決めを容易に行うことができる。
【００４６】
（第２の実施形態）
第２の実施形態は第１の実施形態とストロボユニットのみが異なる。具体的には、ストロボ発光部４１０とストロボ操作基板４２とを連結する構造が異なる。
【００４７】
図５（ａ）、図５（ｂ）及び図５（ｃ）は、本実施形態における、ストロボケース４１、ストロボ操作基板４２及びスピーカー４９ーとマイク５０を収納する弾性部材５１の詳細を示す図である。
【００４８】
弾性部材５１はスピーカー収納部５１ａとマイク収納部５１ｂを備えている。弾性部材５１のスピーカー収納部５１ａは底面にボス５１ｃが２つ設けられている。このボス５１ｃは先端が矢じり形状をしており、ストロボ操作基板４２に設けられた位置決め孔４２ａに軽圧入すると安易に抜けないようになっている。
【００４９】
一方、弾性部材５１のマイク収納部５１ｂはストロボケース４１に備えられている保持部４１ａに軽圧入され、マイク収納部の底面に設けられたボス５１ｆがストロボケース４１の位置決め孔４１ｂに位置決めされることによりストロボケース４１に保持される。このボス５１ｄは先端が矢じり形状をしており、ストロボケース４１に設けられた位置決め孔４１ｂに軽圧入により挿入されると安易に抜けないようになっている。このように、マイク収納部５１ｂの底面に設けられたボス５１ｆをストロボケース４１の位置決め孔４１ｂに軽圧入することで、第１の実施形態に比べて、マイク収納部５１ｂがストロボケース４１からより安易に抜けないようになっている。
【００５０】
また、弾性部材５１はスピーカー収納部５１ａとマイク収納部５１ｂがそれぞれストロボ操作基板４２とストロボケース４１に位置決めされるため、スピーカー収納部５１ａとマイク収納部５１ｂの連結部５１ｄは弾性変形しやすい構成となっている。具体的には、連結部５１ｄの中央に穴部５１ｅを設けている。また、連結部５１ｄの高さ方向の長さをスピーカー収納部５１ａあるいはマイク収納部５１ｂの側面の高さ方向の長さよりも短くしている。
【００５１】
このように弾性部材５１によってストロボ発光部４１０とストロボ操作基板４２を一体にすることで、ストロボ発光部４１０とストロボ操作基板４２とが柔軟に連結された、ストロボユニット４００とすることができる。
【００５２】
（第３の実施形態）
第３の実施形態は第１及び第２の実施形態とストロボユニットのみが異なる。具体的には、ストロボ発光部４１０とストロボ操作基板４２とを連結する構造が異なる。
【００５３】
図６（ａ）、図６（ｂ）及び図６（ｃ）は、本実施形態における、ストロボケース４１、ストロボ操作基板４２及びスピーカー４９ーとマイク５０を収納する弾性部材５１の詳細を示す図である。
【００５４】
弾性部材５１はスピーカー収納部５１ａとマイク収納部５１ｂを備えている。弾性部材５１のスピーカー収納部５１ａは底面にボス５１ｃが２つ設けられている。このボス５１ｃは先端が矢じり形状をしており、ストロボ操作基板４２に設けられた位置決め孔４２ｂを貫通して、ストロボケース４１に設けられた位置決め孔４１ｃに軽圧入により挿入される。圧入後はスピーカー収納部５１ａとストロボケース４１が安易に抜けないようになっている。そのため、第１の実施形態に比べて、ストロボ操作基板４２とストロボケース４１の連結がより外れにくくなっている。
【００５５】
ストロボ操作基板４２に設けられた位置決め孔４２ｂの大きさはストロボケースに設けられた位置決め孔４１ｃの大きさより大きく、ストロボ操作基板４２がストロボケース４１と固定されないように遊びを持たせている。すなわち、弾性部材５１に近いほうの位置決め孔の大きさのほうが他方の位置決め孔の大きさよりも大きい。そうすることで、ストロボ発光部４１０とストロボ操作基板４２のそれぞれの位置決めを容易に行うことができる。
【００５６】
一方、弾性部材５１のマイク収納部５１ｂはストロボケース４１に備えられている半筒形状の保持部４１ａに軽圧入されることでストロボケース４１に保持される。
【００５７】
このように、弾性部材５１によって、ストロボ発光部４１０とストロボ操作基板４２とを遊びを持たせて連結させることで、ストロボ発光部及びストロボ操作基板の位置決めをより容易に行うことができる。
【００５８】
なお、第３の実施形態においても、第２の実施形態のようにマイク収納部の底面にボスを設けてもよいし、スピーカー収納部５１ａとマイク収納部５１ｂの連結部を弾性変形しやすい構成にしてもよい。
【００５９】
以上、本発明の好ましい実施形態について説明したが、本発明はこれらの実施形態に限定されず、その要旨の範囲内で種々の変形及び変更が可能である。
【符号の説明】
【００６０】
１３  メインシャーシ
１４  位置決め部材
４１  ストロボケース
４２  ストロボ操作基板
４９  スピーカー
５０  マイク
５１  弾性部材
４００  ストロボユニット
４１０  ストロボ発光部
５００  上面操作ユニット
【図１】
2012098536.tif 000003
【図２】
2012098536.tif 000004
【図３】
2012098536.tif 000005
【図４】
2012098536.tif 000006
【図５】
2012098536.tif 000007
【図６】
2012098536.tif 000008